(57)【要約】【課題】  複数の特色を用いて原画像を再現する場合であっても、少ないメモリ量でプルーフする。【解決手段】  画像処理装置１は、第１ディスプレイ６で出力されるカラーの原画像がプリンター７で再現されるときの再現色を第２ディスプレイ８でプルーフするためのプルーフ用画像信号を算出する演算処理装置２を有する。演算処理装置２は、第１ディスプレイ６用の原画像信号をプリンター７用の再現用画像信号に変換するための第１色変換プロファイル２１を、色域マッピングして作成するときに、第１ディスプレイ６のデバイスディペンデントカラーの各信号値と、デバイスインディペンデントカラーとの対応情報を算出する。そして、演算処理装置２は、原画像信号をプルーフ用画像信号に変換するための第２色変換プロファイル２２を、対応情報に基づいて作成する。【選択図】図３
2005119189.tif 000002
【特許請求の範囲】
【請求項１】
第１出力機器で出力されるカラーの原画像が第２出力機器で再現されるときの再現色をプルーフ機器でプルーフするためのプルーフ用画像信号を算出する演算処理装置を有する画像処理装置であって、
前記演算処理装置は、
前記第１出力機器用の原画像信号を前記第２出力機器用の再現用画像信号に変換するための第１色変換プロファイルを、色域マッピングを行って作成する工程中に、前記第１出力機器のデバイスディペンデントカラーの各信号値と、デバイスインディペンデントカラーとの対応情報を算出し、
前記原画像信号を測色値または測色値から派生する値の信号値に変換するための第２色変換プロファイルを、前記対応情報に基づいて作成し、
前記第２色変換プロファイルに基づいて前記原画像信号を前記プルーフ用画像信号に変換することを特徴とする画像処理装置。
【請求項２】
請求項１記載の画像処理装置において、
前記第２出力機器は、ＣＭＹまたはＲＧＢ以外の特色色材を用いることを特徴とする画像処理装置。
【請求項３】
請求項１または２記載の画像処理装置において、
前記第１出力機器と前記プルーフ機器とが同一のディスプレイであることを特徴とする画像処理装置。
【請求項４】
請求項１〜３の何れか一項に記載の画像処理装置において、
前記プルーフ用画像信号の信号値は、デバイスインディペンデントカラーを示すことを特徴とする画像処理装置。
【請求項５】
請求項１〜４の何れか一項に記載の画像処理装置において、
前記演算処理装置は、
前記第１色変換プロファイルと前記第２色変換プロファイルとを、同一ファイル内に記憶することを特徴とする画像処理装置。
【請求項６】
第１出力機器で出力されるカラーの原画像が第２出力機器で再現されるときの再現色をプルーフ機器でプルーフするためのプルーフ用画像信号を算出する画像処理方法であって、
前記第１出力機器用の原画像信号を前記第２出力機器用の再現用画像信号に変換するための第１色変換プロファイルを、色域マッピングを行って作成する工程中に、前記第１出力機器のデバイスディペンデントカラーの各信号値と、デバイスインディペンデントカラーとの対応情報を算出し、
前記原画像信号を測色値または測色値から派生する値の信号値に変換するための第２色変換プロファイルを、前記対応情報に基づいて作成し、
前記第２色変換プロファイルに基づいて前記原画像信号を前記プルーフ用画像信号に変換することを特徴とする画像処理方法。
【請求項７】
請求項６記載の画像処理方法において、
前記第２出力機器の色材として、ＣＭＹまたはＲＧＢ以外の特色色材を用いることを特徴とする画像処理方法。
【請求項８】
請求項６または７記載の画像処理方法において、
同一のディスプレイを前記第１出力機器及び前記プルーフ機器として用いることを特徴とする画像処理方法。
【請求項９】
請求項６〜８の何れか一項に記載の画像処理方法において、
前記プルーフ用画像信号として、信号値がデバイスインディペンデントカラーを示すものを用いることを特徴とする画像処理方法。
【請求項１０】
請求項６〜９の何れか一項に記載の画像処理方法において、
前記第１色変換プロファイルと前記第２色変換プロファイルとを、同一ファイル内に記憶することを特徴とする画像処理方法。
【発明の詳細な説明】
【技術分野】
【０００１】
本発明は、再現画像の再現色をプルーフする画像処理装置及び画像処理方法に関する。
【背景技術】
【０００２】
従来、例えば、カラー画像を出力するディスプレイ（第１出力機器）用の原画像をカラーのプリンター（第２出力機器）で出力する場合には、ディスプレイとプリンターとの間で出力色が異なるため、ディスプレイ及びプリンターの出力色の関係を示す再現用プロファイルを用い、ディスプレイ用の原画像信号をプリンター用の再現用画像信号に変換している（例えば、特許文献１，２参照）。
【０００３】
更に、この場合には、プリンターの出力による記録媒体の無駄を省く等の目的で、機器の違いによって出力色が変化しないかを予め確認することが好ましい。そのため、印刷を行う前に、そのプリンターで印刷される画像の色と極力同じ色に似せた校正用カラー画像、つまりプルーフ画像をカラーディスプレイや他のカラープリンター等のプルーフ機器で出力している。
【０００４】
ところで、近年、カラープリンターは高性能化されており、ＹＭＣＫの通常色に加え、ＲＧＢ等の特色も使用して画像を出力するようになっている。
そのため、上記のようにプルーフ画像を得る方法として、通常インク（色材）と１種類の特色インクとを用いるプリンター用のプルーフ画像を得る方法（特許文献３，４参照）や、使用する各インクを組み合わせた全ての色を測色し、この測色値に基づいて色調整を行うプリンター用のプルーフ画像を得る方法（非特許文献１参照）等が提案されている。
【０００５】
ここで、非特許文献１に開示の方法について説明する。この方法においては、図７に示すように、まず、原画像信号を再現用画像信号に変換するための再現用プロファイル１００を演算処理装置１０１が作成する。この再現用プロファイル１００は、ディスプレイ１０２の出力色とプリンター１０３の出力色との関係を示すものであり、ルックアップテーブル（ＬＵＴ）として作成されている。
次に、再現用画像信号をプルーフ用画像信号に変換するためのプルーフ用プロファイル１０４を演算処理装置１０５が作成する。このプルーフ用プロファイル１０４は、プリンター１０３の出力色とプルーフ機器１０６の出力色との関係を示すものである。なお、再現用プロファイル１００とプルーフ用プロファイル１０４とを１つのプロファイルとして作成することとしても良い。
次に、演算処理装置１０１，１０５が補間演算処理を行い、再現用プロファイル１００及びプルーフ用プロファイル１０４に基づいて原画像信号をプルーフ用画像信号に変換する。
そして、このプルーフ用画像信号に基づいてプルーフ機器１０６がプルーフ画像を出力する。
【特許文献１】特開平１１−０６９１７６号公報
【特許文献２】特開２００１−１３６４０１号公報
【特許文献３】特開２００１−１５７０７４号公報
【特許文献４】特開２０００−６２２５３号公報
【非特許文献１】Adobe systems、"Adobe Photoshopのソフトプルーフ"、［online］、Adobe systems、［平成１５年、１０月１３日検索］、インターネット＜ＵＲＬhttp://www.i1color.co.jp/images/knowledge/trn/pdf/PS#SettingPrint#J.pdf＞
【発明の開示】
【発明が解決しようとする課題】
【０００６】
しかしながら、上記特許文献３，４の方法では、プリンターが特色インクを混合して色再現に用いる場合には、プルーフ用画像信号を得ることができない。
【０００７】
また、上記非特許文献１の方法では、プルーフ用プロファイル１０４を作成する際に、プリンター１０３の使用する色材数ｍの増加に従い、プリンター１０３の出力色とプルーフ機器１０６の出力色との組合せが級数的に増え、演算処理に膨大な量のメモリが必要になるという問題がある。例えば、各色を５段階に分けて色票を作成する場合、ｍ＝４, ５, ６, ７, ・・・に対し、その組合せ数が、５4 ＝625, ５5 ＝3125, ５6 ＝15625, ５7 ＝78125,・・・と急激に増えてしまう。
【０００８】
本発明の課題は、複数の特色を用いて原画像を再現する場合であっても、少ないメモリ量でプルーフすることができる画像処理装置及び画像処理方法を提供することである。
【課題を解決するための手段】
【０００９】
請求項１記載の発明は、
第１出力機器で出力されるカラーの原画像が第２出力機器で再現されるときの再現色をプルーフ機器でプルーフするためのプルーフ用画像信号を算出する演算処理装置を有する画像処理装置であって、
前記演算処理装置は、
前記第１出力機器用の原画像信号を前記第２出力機器用の再現用画像信号に変換するための第１色変換プロファイルを、色域マッピングを行って作成する工程中に、前記第１出力機器のデバイスディペンデントカラーの各信号値と、デバイスインディペンデントカラーとの対応情報を算出し、
前記原画像信号を測色値または測色値から派生する値の信号値に変換するための第２色変換プロファイルを、前記対応情報に基づいて作成し、
前記第２色変換プロファイルに基づいて前記原画像信号を前記プルーフ用画像信号に変換することを特徴とする。
【００１０】
ここで、測色値から派生する値とは、測色値と関連付けられる値のことである。測色値及び測色値から派生する値としては、例えばＬａｂ値や、ＲＧＢ値、ＸＹＺ値などがある。
また、測色値または測色値から派生する値の信号値は、プルーフ機器のデバイスディペンデントカラーの信号値であっても良いし、デバイスインディペンデントカラーの信号値であっても良い。
【００１１】
請求項１記載の発明によれば、第１色変換プロファイルの作成中に前記第１出力機器のデバイスディペンデントカラーの各信号値と、デバイスインディペンデントカラーとの対応情報を算出し、この対応情報に基づいて第２色変換プロファイルを作成するので、第２出力機器の出力色とプルーフ機器の出力色との関係を示す前記プルーフ用プロファイルを作成する従来の場合と異なり、複数の特色を第２出力機器で出力する場合であっても、少ないメモリ量でプルーフ用の第２色変換プロファイルを作成することができる。つまり、複数の特色を用いて原画像を再現する場合であっても、少ないメモリ量でプルーフすることができる。
【００１２】
請求項２記載の発明は、請求項１記載の画像処理装置において、
前記第２出力機器は、ＣＭＹまたはＲＧＢ以外の特色色材を用いることを特徴とする。
【００１３】
ここで、ＣＭＹとはシアン、マゼンタ及びイエローのことであり、ＲＧＢとはレッド、グリーン及びブルーのことである。
また、色材とは、例えば、第２出力機器がプリンターの場合にはインクやトナーのことであり、第２出力機器がディスプレイである場合には蛍光体や液晶のことである。
【００１４】
請求項２記載の発明によれば、多数の測色を必要とする特色プリンターを第２出力機器として用いる場合であっても、高次なキャラクタライゼーションを行うことなくプルーフすることができる。
【００１５】
請求項３記載の発明は、請求項１または２記載の画像処理装置において、
前記第１出力機器と前記プルーフ機器とが同一のディスプレイであることを特徴とする。
【００１６】
請求項３記載の発明によれば、第１出力機器とプルーフ機器とが同一のディスプレイであるので、原画像とプルーフ画像との比較を容易に行うことができる。
なお、このディスプレイとしては、原画像とプルーフ画像とを並べて同時に表示可能であることが好ましい。この場合には、原画像とプルーフ画像との比較をより容易に行うことができる。
【００１７】
請求項４記載の発明は、請求項１〜３の何れか一項に記載の画像処理装置において、
前記プルーフ用画像信号の信号値は、デバイスインディペンデントカラーを示すことを特徴とする。
【００１８】
請求項４記載の発明によれば、プルーフ用画像信号の信号値はデバイスインディペンデントカラーを示すので、プルーフ機器として任意のものを選択して用いることができる。
【００１９】
請求項５記載の発明は、請求項１〜４の何れか一項に記載の画像処理装置において、
前記演算処理装置は、
前記第１色変換プロファイルと前記第２色変換プロファイルとを、同一ファイル内に記憶することを特徴とする。
【００２０】
請求項５記載の発明によれば、演算処理装置が第１色変換プロファイルと第２色変換プロファイルとを同一ファイル内に記憶するので、色変換プロファイルの取り扱いを容易に行うことができる。
【００２１】
請求項６記載の発明は、
第１出力機器で出力されるカラーの原画像が第２出力機器で再現されるときの再現色をプルーフ機器でプルーフするためのプルーフ用画像信号を算出する画像処理方法であって、
前記第１出力機器用の原画像信号を前記第２出力機器用の再現用画像信号に変換するための第１色変換プロファイルを、色域マッピングを行って作成する工程中に、前記第１出力機器のデバイスディペンデントカラーの各信号値と、デバイスインディペンデントカラーとの対応情報を算出し、
前記原画像信号を測色値または測色値から派生する値の信号値に変換するための第２色変換プロファイルを、前記対応情報に基づいて作成し、
前記第２色変換プロファイルに基づいて前記原画像信号を前記プルーフ用画像信号に変換することを特徴とする。
【００２２】
請求項６記載の発明によれば、第１色変換プロファイルの作成中に前記第１出力機器のデバイスディペンデントカラーの各信号値と、デバイスインディペンデントカラーとの対応情報を算出し、この対応情報に基づいて第２色変換プロファイルを作成することにより、第２出力機器の出力色とプルーフ機器の出力色との関係を示す前記プルーフ用プロファイルを作成する従来の場合と異なり、複数の特色を第２出力機器で出力する場合であっても、少ないメモリ量でプルーフ用の第２色変換プロファイルを作成することができる。つまり、複数の特色を用いて原画像を再現する場合であっても、少ないメモリ量でプルーフすることができる。
【００２３】
請求項７記載の発明は、請求項６記載の画像処理方法において、
前記第２出力機器の色材として、ＣＭＹまたはＲＧＢ以外の特色色材を用いることを特徴とする。
【００２４】
請求項７記載の発明によれば、多数の測色を必要とする特色プリンターを第２出力機器として用いる場合であっても、高次なキャラクタライゼーションを行うことなくプルーフすることができる。
【００２５】
請求項８記載の発明は、請求項６または７記載の画像処理方法において、
同一のディスプレイを前記第１出力機器及び前記プルーフ機器として用いることを特徴とする。
【００２６】
請求項８記載の発明によれば、同一のディスプレイを第１出力機器及びプルーフ機器として用いるので、原画像とプルーフ画像との比較を容易に行うことができる。
【００２７】
請求項９記載の発明は、請求項６〜８の何れか一項に記載の画像処理方法において、
前記プルーフ用画像信号として、信号値がデバイスインディペンデントカラーを示すものを用いることを特徴とする
【００２８】
請求項９記載の発明によれば、プルーフ用画像信号として、信号値がデバイスインディペンデントカラーを示すものを用いることにより、プルーフ機器として任意のものを選択して用いることができる。
【００２９】
請求項１０記載の発明は、請求項６〜９の何れか一項に記載の画像処理方法において、
前記第１色変換プロファイルと前記第２色変換プロファイルとを、同一ファイル内に記憶することを特徴とする。
【００３０】
請求項１０記載の発明によれば、第１色変換プロファイルと第２色変換プロファイルとを同一ファイル内に記憶することにより、色変換プロファイルの取り扱いを容易に行うことができる。
【発明の効果】
【００３１】
請求項１，６記載の発明によれば、複数の特色を用いて原画像を再現する場合であっても、少ないメモリ量でプルーフすることができる。
【００３２】
請求項２，７記載の発明によれば、請求項１，６記載の発明と同様の効果を得ることができるのは勿論のこと、特色プリンターを第２出力機器として用いる場合であっても、高次なキャラクタライゼーションを行うことなくプルーフすることができる。
【００３３】
請求項３，８記載の発明によれば、請求項１，２，６または７記載の発明と同様の効果を得ることができるのは勿論のこと、原画像とプルーフ画像との比較を容易に行うことができる。
【００３４】
請求項４，９記載の発明によれば、請求項１〜３，６〜８の何れか一項に記載の発明と同様の効果を得ることができるのは勿論のこと、プルーフ機器として任意のものを選択して用いることができる。
【００３５】
請求項５，１０記載の発明によれば、請求項１〜４，６〜９の何れか一項に記載の発明と同様の効果を得ることができるのは勿論のこと、色変換プロファイルの取り扱いを容易に行うことができる。
【発明を実施するための最良の形態】
【００３６】
以下、本実施形態について図面を参照して説明する。なお、以下は本発明の一実施形態であって本発明を限定するものではない。
【００３７】
［実施の形態］
まず、本発明に係る画像処理装置について説明する。図１は画像処理装置１の概略構成を示すブロック図である。
この図に示すように、画像処理装置１は、第１ディスプレイ（第１出力機器）６、プリンター（第２出力機器）７及び第２ディスプレイ（プルーフ機器）８を備えている。
【００３８】
第１ディスプレイ６は、原画像信号に基づいてカラーの原画像を出力するものである。第１ディスプレイ６としては、カラーＣＲＴやカラー液晶、ＰＤＰ等を用いることができる。
なお、本実施の形態においては、原画像信号はｓＲＧＢで色を示すものとする。ｓＲＧＢとは、ＩＥＣ６１９６６−２−１で規定される標準ＲＧＢ色空間のことである。
【００３９】
プリンター７は、再現用画像信号に基づいて原画像の再現画像を出力するものである。このプリンター７は、ＹＭＣＫの通常色のインク（色材）に加え、ＲＧＢの特色のインクも用い、計７色のインクを組み合わせて画像を出力するようになっている。
【００４０】
第２ディスプレイ８は、プルーフ用画像信号に基づいてプルーフ画像を出力し、プリンター７の再現色をプルーフするものである。第２ディスプレイ８としては、第１ディスプレイ６と同様のものを用いることができる。
【００４１】
これら第１ディスプレイ６、プリンター７及び第２ディスプレイ８には、原画像信号を再現用画像信号及びプルーフ用画像信号に変換する演算処理装置２が接続されている。
演算処理装置２は、互いに接続されたＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４及びＣＰＵ（Ｃｅｎｔｒａｌ  Ｐｒｏｃｅｓｓｉｎｇ  Ｕｎｉｔ）５を備えている。
【００４２】
ＲＯＭ３には、画像処理プログラムが格納されている。
この画像処理プログラムは、原画像信号を再現用画像信号に変換するための第１色変換プロファイル（図２参照）２１と、原画像信号をプルーフ用画像信号に変換するための第２色変換プロファイル（図２参照）２２とを作成するプロファイル作成処理を演算処理装置２に実行させるようになっている。なお、第１色変換プロファイル２１は、第１ディスプレイ６とプリンター７との間をリンクするデバイスリンクプロファイルである。また、第２色変換プロファイル２２は、第１ディスプレイ６と第２ディスプレイ８との間をリンクするデバイスリンクプロファイルである。
【００４３】
また、画像処理プログラムは、これら第１色変換プロファイル２１及び第２色変換プロファイル２２に基づいて原画像信号を再現用画像信号及びプルーフ用画像信号に変換する画像信号変換処理を演算処理装置２に実行させるようになっている。
【００４４】
ＲＡＭ４には、ＣＰＵ５による作業領域が備えられている。また、ＲＡＭ４は、図２に示すように、作成された第１色変換プロファイル２１及び第２色変換プロファイル２２をＬＵＴとして同一のファイル内に記憶するようになっている。このファイル内には、第１色変換プロファイル２１，第２色変換プロファイルのＬＵＴデータの先頭アドレスを示す第１タグアドレス２３，第２タグアドレス２４も記憶されている。
【００４５】
ＣＰＵ５は、ＲＯＭ３に格納されている画像処理プログラムをＲＡＭ４内の作業領域に展開し、前記プロファイル作成処理と前記画像信号変換処理とを行うようになっている。
【００４６】
次に、本発明に係る画像処理方法について説明する。
本画像処理方法は、前記プロファイル作成処理と、前記画像信号変換処理とを有している。
【００４７】
以下、プロファイル作成処理について、図３を参照して説明する。
この図に示すように、プロファイル作成処理においては、まず、演算処理装置２が第１ディスプレイ６、プリンター７及び第２ディスプレイ８のキャラクタライゼーションを行う（ステップＳ１）。ここで、本実施の形態におけるキャラクタライゼーションとは、デバイスディペンデントカラーの信号値と、ＸＹＺの三刺激値との関係をＬＵＴとして求めることである。
【００４８】
具体的には、第１ディスプレイ６及び第２ディスプレイ８のキャラクタライゼーションにおいては、下記の数式を用いてｓＲＧＢ信号値をＸＹＺ信号値に変換するＬＵＴを作成する。以下、説明の便宜上、第１ディスプレイ６について作成されたＬＵＴを第１ＬＵＴとする。なお、第２ディスプレイ８がＣＲＴである場合には、例えばＣＩＥ１２２−１９９６に開示のように、階調変換及びマトリクス変換によってキャラクタライゼーションを行うことができる。
【００４９】
【数１】
2005119189.tif 000003
【００５０】
また、プリンター７のキャラクタライゼーションの手法としては、例えば上記特許文献１，２に開示の手法など、公知の手法を用いることができる。なお、特許文献１に開示の手法とは、３変数法または４変数法と呼ばれるものであり、具体的には、再現に用いる色数より少ない個数（３つまたは４つ）の変数の組合わせにより決定される色票を測色してキャラクタライゼーションを行うものである。
【００５１】
次に、演算処理装置２は第１ディスプレイ６とプリンター７との間の色域マッピングを行う。
具体的には、まず、演算処理装置２は、ステップＳ１で求めた第１ディスプレイ６の各三刺激値を再現する均等色空間座標を求め、三刺激値と均等色空間の色座標（デバイスインディペンデントカラー）との対応情報を算出する（ステップＳ２）。
また、演算処理装置２は、均等色空間内の各色座標を再現するプリンター７のデバイスディペンデントカラーの信号値を求める（ステップＳ３）。
そして、演算処理装置２は、前記第１ＬＵＴの各点がプリンター７の何れのインクで再現されるかを前記対応情報に基づいて求めることにより、第１色変換プロファイル２１を作成する（ステップＳ４）。これにより、第１色変換プロファイル２１における第１ディスプレイ６の出力色の三刺激値は、その明度、彩度及び色相のうち、主に彩度が変更されてプリンター７の色域内の色に対応付けられることとなる。
【００５２】
ここで、均等色空間としては、ＣＩＥＬＡＢやＣＩＥＬＵＶ、ＣＩＥＣＡＭ０２等の標準的なものを用いることができる。なお、上記ステップＳ１で得たキャラクタライゼーションデータがＩＣＣデバイスプロファイルである場合には、その定義にＣＩＥＬＡＢが既に使われているので、均等色空間としてＣＩＥＬＡＢを用いることが好ましい。
【００５３】
また、上記ステップＳ３の手法としては、例えば、特許２１３８４６２号公報に開示の手法など、公知の手法を用いることができる。
なお、作成された第１色変換プロファイル２１に対し、後処理としてスムージングを施しても良い。多次元のスムージングの手法としては、例えば上記特許文献１に開示の手法がある。
【００５４】
色域マッピングを行ったら、演算処理装置２は、均等色空間内の各色座標を再現する第２ディスプレイ８のデバイスディペンデントカラーの信号値を求める（ステップＳ５）。そして、演算処理装置２は、前記第１ＬＵＴの各点が第２ディスプレイ８の何れの蛍光体で再現されるかを前記対応情報に基づいて求めることにより、第２色変換プロファイル２２を作成する（ステップＳ６）。このように、第１色変換プロファイル２１の作成中に第１ディスプレイ６の三刺激値と、デバイスインディペンデントカラーとの対応情報を算出し、この対応情報に基づいて第２色変換プロファイル２２を作成することにより、プリンター７の出力色と第２ディスプレイ８の出力色との関係を示すプルーフ用プロファイルを作成する従来の場合と異なり、少ないメモリ量でプルーフ用の第２色変換プロファイル２２が作成される。
【００５５】
ここで、ステップＳ４の手法としては、英語論文「Po-Chieh Hung, Colorimetric calibration in electronic imaging devices using a look-up-table model and interpolations, Journal of Electronic Imaging, 2(1), 53- 61 (1993)」や、特許２８９５０８６号公報に開示の手法を用いることができる。
【００５６】
なお、第１色変換プロファイル２１に対してスムージングを施す場合には、第２色変換プロファイル２２に対してもスムージングを施す。このように第１色変換プロファイル２１及び第２色変換プロファイル２２の両方にスムージングを施すことにより、プリンター７の出力色と第２ディスプレイ８の出力色との測色値の差を小さくすることができる。
【００５７】
続いて、画像信号変換処理について、図４を参照して説明する。
この図に示すように、画像信号変換処理においては、演算処理装置２は補間演算処理を行うことにより、第１色変換プロファイル２１に基づいて原画像信号を再現用画像信号に変換し、かつ、第２色変換プロファイル２２に基づいて原画像信号をプルーフ用画像信号に変換する。このとき、演算処理装置２は、第１色変換プロファイル２１と第２色変換プロファイル２２とを同一ファイル内に記憶しているので、色変換プロファイルの取り扱いが容易に行われることとなる。
【００５８】
なお、この補間演算処理の手法としては、例えば特開昭５３−１２３２０１号公報に開示の手法など、公知の手法を用いることができる。また、図４では、便宜上、演算処理装置２を２つに分けて図示している。
【００５９】
そして、第２ディスプレイ８がプルーフ用画像信号を出力することにより、プリンター７の再現色がプルーフされる。
【００６０】
以上の画像処理方法によれば、複数の特色をプリンター７で出力する場合であっても、少ないメモリ量でプルーフ用の第２色変換プロファイルを作成することができる。従って、複数の特色を用いて原画像を再現する場合であっても、高次なキャラクタライゼーションを行うことなく、少ないメモリ量でプルーフすることができる。
【００６１】
［実施の形態の変形例］
続いて、画像処理装置１の変形例について説明する。なお、上記第１の実施の形態と同一の構成要素には同一の符号を付し、その説明を省略する。
【００６２】
本変形例における画像処理装置１Ａは、図５に示すように、ディスプレイ（第１出力機器、プルーフ機器）６Ａを備えている。
ディスプレイ６Ａは、原画像信号に基づいてカラーの原画像を出力するとともに、プリンター７の再現色をプルーフするプルーフ機器としても機能するようになっている。更に、ディスプレイ６Ａは、原画像とプルーフ画像とを並べて同時に表示することができるようになっている。
【００６３】
この画像処理装置１Ａでは、図６に示すように、演算処理装置２によって作成されたプルーフ用画像信号をディスプレイ６Ａで出力することにより、プリンター７の再現色をプルーフする。
【００６４】
以上の画像処理装置１Ａによれば、原画像とプルーフ画像とをディスプレイ６Ａで同時に表示することができるので、原画像とプルーフ画像との比較を容易に行うことができる。
【００６５】
なお、上記実施の形態及びその変形例においては、プルーフ機器としてカラーディスプレイを用いることとして説明したが、カラープリンターを用いることとしても良い。この場合、プルーフ機器のキャラクタライゼーションにおいては、上記英語論文に開示の手法を用いることができる。
【００６６】
また、均等色空間として標準的なものを用いることとして説明したが、例示した以外の非標準的なものを用いることとしても良い。この場合には、前記ステップＳ３及びステップＳ５において、均等色空間の定義式に従って非標準な均等色空間の座標から三刺激値を逆算し、この三刺激値の色を再現するデバイスディペンデントカラーの信号値を求めることとしても良い。また、同様に三刺激値を逆算した後に、この三刺激値から標準的な均等色空間の色座標を算出し、この色座標を再現するデバイスインディペンデントカラーの信号値を求めることとしても良い。
【００６７】
また、均等色空間内の各色座標を再現する第２ディスプレイ８のデバイスディペンデントカラーの信号値を求めることにより第２色変換プロファイル２２を作成することとして説明したが、ＩＣＣプロファイル形式を用いて第２色変換プロファイル２２を作成することとしても良い。この場合には、第２色変換プロファイルに基づいて作成されるプルーフ用画像信号はＩＣＣフォーマットに準拠してデバイスインディペンデントカラーの信号値を示すことになる。従って、プルーフ機器として任意のものを選択することができる。ここで、ＩＣＣプロファイルの形式としては、ＩＣＣのcolorimetric intent形式、すなわちＩＣＣプロファイルのＡ２Ｂ１（測色色再現のインテント）タグの形式を用いることが好ましい。
【００６８】
また、第１色変換プロファイル２１を上記ステップＳ１〜ステップＳ３によって作成することとして説明したが、ＩＣＣで規定するインプットデバイスプロファイル及びアウトプットデバイスプロファイル、つまり、第１ディスプレイ６のデバイスプロファイルとプリンター７のデバイスプロファイルとを組み合わせて作成することとしても良い。この場合には、第１ディスプレイ６及びプリンター７のそれぞれについての前記Ａ２Ｂ１のＩＣＣプロファイルが、キャラクタライゼーションのデータとなる。
【００６９】
また、演算処理装置２は、上記ステップＳ２〜ステップＳ４を行った後にステップＳ５を行うこととして説明したが、ステップＳ２の後であればステップＳ３，Ｓ４の前にステップＳ５を行うこととしても良い。
【図面の簡単な説明】
【００７０】
【図１】本発明に係る画像処理装置の概略構成を示すブロック図である。
【図２】第１色変換プロファイルと第２色変換プロファイルとが記憶されたファイルを示す図である。
【図３】プロファイル作成処理を示すフローチャートである。
【図４】画像信号変換処理の流れを示すブロック図である。
【図５】実施の形態の変形例における画像処理装置の概略構成を示すブロック図である。
【図６】実施の形態の変形例における画像信号変換処理の流れを示すブロック図である。
【図７】従来の画像処理装置による画像処理の流れを示すブロック図である。
【符号の説明】
【００７１】
１    画像処理装置
２    演算処理装置
６    第１ディスプレイ（第１出力機器）
６Ａ  ディスプレイ（第１出力機器、プルーフ機器）
７    プリンター（第２出力機器）
８    第２ディスプレイ（プルーフ機器）
２１  第１色変換プロファイル
２２  第２色変換プロファイル
【図１】
2005119189.tif 000004
【図２】
2005119189.tif 000005
【図３】
2005119189.tif 000006
【図４】
2005119189.tif 000007
【図５】
2005119189.tif 000008
【図６】
2005119189.tif 000009
【図７】
2005119189.tif 000010